(57)【特許請求の範囲】
【請求項１】
原稿台に載置された原稿に対して移動走査して原稿画像を読み取る走査部材と、該走査部材の長手方向両端にそれぞれ固定されたワイヤと、該ワイヤを巻き取り駆動して前記走査部材を移動走査させる駆動手段と、を備えた、画像読取装置において、
前記長手方向両端に固定されたそれぞれのワイヤが固定されると共に、回動かつスライド自在に設けられた調整部材を有し、前記調整部材の回動によるワイヤの巻き取り、あるいは前記調整部材のスライドによるワイヤの引っ張りによりそれぞれのワイヤのワイヤ長を同時に調整する調整手段を設けたことを特徴とする画像読取装置。
【請求項２】
走査部材の長手方向両端には、それぞれ一本ずつワイヤが固定され、これらのワイヤの他端部が前記調整部材に固定されることによって、該調整部材の回動により各ワイヤが同じ長さ分だけ長さが調整されて走査部材の移動方向の読取位置が調整され、調整部材のスライドにより各ワイヤの長さの配分が調整されて走査部材の移動方向と垂直方向の読取位置が調整されることを特徴とする請求項１に記載の画像読取装置。
【請求項３】
走査部材の長手方向両端には、一本のワイヤの両端部がそれぞれ固定され、該ワイヤの所定部が前記調整部材に固定されることによって、該調整部材の回動により走査部材の長手方向両端へのワイヤ長の配分が調整されて走査部材の移動方向と垂直方向の読取位置が調整され、調整部材のスライドにより走査部材の長手方向両端へのワイヤ長が同じ長さ分だけ調整されて走査部材の移動方向の読取位置が調整されることを特徴とする請求項１に記載の画像読取装置。
【発明の詳細な説明】
【０００１】
【発明の属する技術分野】
本発明は、走査光学系により原稿を読み取る画像読取装置に関するものである。
【０００２】
【従来の技術】
従来より、この種の画像読取装置としては、たとえば図５に示したようなものがある。
【０００３】
このような原稿固定式の画像読取装置においては、原稿台（透明のガラス台など）に載置された原稿に対して、２つの走査体（第１のミラー台１，第２のミラー台２）が図中矢印３方向（副走査方向）に露光、走査することにより、画像を読み取るものである。
【０００４】
図５において、第１のミラー台１の両端には、ワイヤー４，５が固定され、ワイヤー４，５が駆動プーリ６により巻き取られることにより、第１ミラー台１は矢印３方向に移動する。
【０００５】
また、第２のミラー台２の両端には、回転自在のプーリ７，８が備えられ、ワイヤー４，５により、矢印３方向に、第１ミラー台１の１／２の速度で移動する。
【０００６】
また、駆動プーリ６に巻き付けられたワイヤー４，５の片端部（第１のミラー台１への固定部と反対側の端部）は、バネ９に掛けられ所定のテンションが加えられる。
【０００７】
第１ミラー台１で露光された反射光は第２ミラー台２に設けられた第２，第３ミラーで反射され、結像レンズ１０を介して受光素子１１上で結像され、画像情報として光電変換される。
【０００８】
このように、原稿台に載置された原稿の原稿画像が読み取られる。
【０００９】
この画像読取装置では、ミラー台，ワイヤー等の組立ての後、光学調整が行われる。
【００１０】
すなわち、図５に示す主走査方向，副走査方向それぞれの読み取り位置や倍率等をミラー台やレンズを移動させることで調整する。
【００１１】
具体的には、主走査方向の倍率の調整は受光素子１１と原稿面の距離（光路長）を変えることで調整されるため、受光素子１１と結像レンズ１０の副走査方向に移動させる調整方法がある。
【００１２】
しかしながら、このような調整方法では、レンズ１０と受光素子１１を一体にして平行に移動させる機構が必要となり、また、受光素子１１の部品交換時には、再調整が必要になる、等の問題がある。
【００１３】
そこで、主走査方向の倍率調整方法としては、図５に示したように、第２ミラー台２の両端に設けられたプーリに懸架されたワイヤーの固定端にワイヤー長さ調整部材１２，１３を設け、この固定端位置を矢印３方向に調整することにより、第２ミラー台２の位置を副走査方向に平行移動させる方法がとられていた。
【００１４】
また、主走査方向の読み取り位置ズレによる副走査方向の斜行の調整は、ワイヤー長さ調整部材１２，１３のいずれか一方を調整し、第２ミラー台２の主走査ラインに対する傾きを変化させることで行っていた。
【００１５】
【発明が解決しようとする課題】
しかしながら、上記のような従来技術の場合には、下記のような問題が生じていた。
【００１６】
上記従来技術の光学調整方法では、第２ミラー台２の両端のプーリに懸架されたワイヤーの固定端の長さを調整する際、調整部材１２，１３が独立にある為、両端を同じ長さだけ移動させる、すなわち、第２ミラー台２を副走査方向に平行に移動させることが困難であった。
【００１７】
つまり、副走査方向の斜行を補正する為に、調整部材１２，１３のいずれかを調整し、第２ミラー台２の傾きを補正した後、主走査倍率を調整する為には部材１２，１３を交互に一定量づつ調整し、第２ミラー台を平行移動しなければならない。
【００１８】
そして、倍率調整後に、再び副走査斜行の確認が必要となり、調整工程に非常に時間がかかってしまっていた。
【００１９】
本発明は上記の従来技術の課題を解決するためになされたもので、その目的とするところは、容易に読取位置の調整を可能とする作業性に優れた画像読取装置を提供することにある。
【００２０】
【課題を解決するための手段】
上記目的を達成するために本発明にあっては、原稿台に載置された原稿に対して移動走査して原稿画像を読み取る走査部材と、該走査部材の長手方向両端にそれぞれ固定されたワイヤと、該ワイヤを巻き取り駆動して前記走査部材を移動走査させる駆動手段と、を備えた、画像読取装置において、前記長手方向両端に固定されたそれぞれのワイヤが固定されると共に、回動かつスライド自在に設けられた調整部材を有し、前記調整部材の回動によるワイヤの巻き取り、あるいは前記調整部材のスライドによるワイヤの引っ張りによりそれぞれのワイヤのワイヤ長を同時に調整する調整手段を設けたことを特徴とする。
【００２１】
したがって、調整手段により長手方向両端に固定されたそれぞれのワイヤのワイヤ長を同時に調整できるので、読取位置の調整が容易にできる。
【００２３】
走査部材の長手方向両端には、それぞれ一本ずつワイヤが固定され、これらのワイヤの他端部が前記調整部材に固定されることによって、該調整部材の回動により各ワイヤが同じ長さ分だけ長さが調整されて走査部材の移動方向の読取位置が調整され、調整部材のスライドにより各ワイヤの長さの配分が調整されて走査部材の移動方向と垂直方向の読取位置が調整されるとよい。
【００２４】
また、走査部材の長手方向両端には、一本のワイヤの両端部がそれぞれ固定され、該ワイヤの所定部が前記調整部材に固定されることによって、該調整部材の回動により走査部材の長手方向両端へのワイヤ長の配分が調整されて走査部材の移動方向と垂直方向の読取位置が調整され、調整部材のスライドにより走査部材の長手方向両端へのワイヤ長が同じ長さ分だけ調整されて走査部材の移動方向の読取位置が調整されることもできる。
【００２５】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がないかぎりは、この発明の範囲をそれらのみに限定する趣旨のものではない。
【００２６】
（第１の実施の形態）
図１および図２を参照して、本発明の第１の実施の形態に係る画像読取装置について説明する。
【００２７】
図１は本発明の第１の実施の形態に係る画像読取装置の概略構成斜視（一部透視）図であり、図２は本発明の第１の実施の形態に係る画像読取装置に具備される調整手段の説明図であり、（ａ）は平面図、（ｂ）は斜視図である。
【００２８】
なお、本実施の形態の構成等のうち調整手段の構成等以外の基本的な構成等については上述した従来技術の構成等と同一であるので、同一の構成部分については同一の符号を付して説明する。
【００２９】
図１，図２において、１は走査部材としての第１ミラー台、２は第２ミラー台、４，５はミラー台を駆動するためのワイヤーであり、１４，１５は本発明の実施の形態の特徴的なワイヤー長さ調整装置（調整手段）を構成する調整部材としての、倍率調整ドラムおよび斜行調整板である。
【００３０】
駆動プーリ６に巻き付けられたワイヤー４，５は図中１６，１７の位置にて、第１ミラー台１に固定され、さらに、第２ミラー台２の両端に回転自在に設けられたワイヤープーリ７，８に掛けられ、固定プーリ１８，１９を介して、倍率調整ドラム１４に巻き付けられ、端部２０が倍率調整ドラム１４上に固定される。
【００３１】
また、駆動プーリ６に巻き付けられたワイヤー４，５のもう一方の端部は、反転プーリ２１，２２により反転され、再び第２ミラー台プーリ７，８に掛けられ、固定プーリ２３，２４を介して、バネ９で張力を加えられている。
【００３２】
倍率調整ドラム１４には、ワイヤー固定用の溝２０が設けられワイヤー４，５がそれぞれ図１，図２に示す方向に巻き付けられる。
【００３３】
そして、ドラム１４は、一部に六角部２５が設けられ、六角部２５を工具にてつかむことでビス２７を中心に矢印２６方向に回転調整を可能とする。
【００３４】
また、ドラム１４は、ビス２７により、斜行調整板１５に固定可能とする。
【００３５】
さらに、斜行調整板１５は読み取り装置本体に対し、矢印２８方向に平行移動（スライド）可能として、ビス２９にて固定される。
【００３６】
読み取り装置組み立て工程においては、上記部品を組み付けて、画像の読み取りが可能となった状態で読み取り治具等により光学調整が行われる。
【００３７】
そこで、例えば、副走査方向の斜行が起った場合には、ドラム１４が固定されている斜行調整板１５のビス２９をゆるめ、矢印２８方向に平行移動させ（各ワイヤの長さの配分が調整され）、第２ミラー台２の傾きを調整し、再びビス２９で固定する。
【００３８】
さらに、例えば、主走査方向の倍率が大きすぎた場合には、原稿面から受光素子までの光路長を短くする為に、ビス２７をゆるめ、ドラム１４を時計回りに回転することにより、ワイヤー４，５を同量だけ巻き取ることができ、結果として第２ミラー台２を矢印３０方向に平行移動させることができ、倍率のあったところで、ビス２７でドラム１４を固定する。
【００３９】
このように倍率調整時にはドラム１４を一定量回転させるだけで、ワイヤー４，５が同量だけ巻き取られるので、第２ミラー台２の傾き、すなわち、副走査方向の斜行には、影響を与えることなく調整を行うことができる。
【００４０】
また、この時、図１においては、２本のワイヤーのもう一方の端部が、１本のバネ９に掛けられているので、斜行調整により前後２本のワイヤーの長さに変化があっても、ワイヤー張力の前後バランスは一定に保たれ、張力のアンバランスによる振動、ブレ等を回避できる。
【００４１】
（第２の実施の形態）
図３には、本発明の第２の実施の形態が示されている。本実施の形態においては調整手段の構成を上記第１の実施の形態と異なる構成としている。その他の構成および作用については第１の実施の形態と同一なので、同一の構成部分については同一の符号を付して、その説明は省略する。
【００４２】
図３は本発明の第２の実施の形態に係る画像読取装置に具備される調整手段の説明図であり、（ａ）は平面図、（ｂ）は斜視図である。
【００４３】
本実施の形態においては、図３に示したように、ワイヤーのドラムへの巻き付け方を変えることで、ドラムと調整板の役割を上記第１の実施の形態の場合とは逆にし、また、１本のワイヤーのみで、両側を駆動する構成としている。
【００４４】
駆動プーリ６に巻き付けられたワイヤー３３は、図中１６の位置で第１ミラー台１に固定され、第２ミラー台２に設けられたワイヤープーリ７、固定プーリ１８を介して斜行調整ドラム３１に巻き付けられる。
【００４５】
そして、ワイヤー３３は、ドラム上の溝３４部でドラム３１に固定され、再び固定プーリ１９，ワイヤープーリ８を介して駆動プーリ６に巻き付けられる。
【００４６】
そして、斜行調整ドラム３１は倍率調整板３２に固定され倍率調整板３２は、本体にスライド可能に固定される。
【００４７】
ドラム３１をビス３６を中心に回転することにより前後のワイヤー長さが変化し（各ワイヤの長さの配分が調整され）、第２ミラー台２の傾きが変り、副走査方向の斜行を調整できる。
【００４８】
倍率調整時には、調整板３２を矢印３５方向に平行にスライドさせることにより、前後のワイヤーの長さを同時に調整でき、第２ミラー台２を平行移動できる。
【００４９】
なお、これらの調整部材３７は、第２ミラーの両端のプーリ７，８の間であれば、どこに配置してもよく、図４では調整の作業性を良くする為に調整部材３７を装置手前に設けた例を示している。
【００５０】
（その他の実施の形態）
上述の実施の形態においては、張力印加手段（バネ９）をひとつのみで、各ワイヤーに張力を付与する構成を示したが、それぞれのワイヤーに対して張力印加手段を設ける構成とすることもできる。
【００５１】
すなわち、図４に示したように、ワイヤー４，５の他の端部３８，３９に、各々別の張力印加手段を持つこともでき、その場合には張力調整部材４０，４１を設けて、倍率等を調整した後、前後ワイヤーの張力を均等に調整することができる。
【００５２】
以上のように、主走査方向の倍率と副走査方向の斜行を調整する為にワイヤー長さの調整を行う場合、その調整部材を１ヶ所にし、前後の調整を同期させることにより、第２ミラー台を平行に移動させることが容易になり、また、倍率と斜行の調整を独立に行うことができるようになる。
【００５３】
【発明の効果】
以上説明したように、本発明は、調整手段を設けたので、走査部材の長手方向両端に固定されたそれぞれのワイヤのワイヤ長を同時に調整することができ、容易に読取位置の調整が可能となり作業性が向上する。
【００５４】
走査部材の長手方向両端に固定されたそれぞれのワイヤが固定されると共に、回動かつスライド自在に設けられた調整部材によって、回動あるいはスライドによってそれぞれのワイヤのワイヤ長を同時に調整することができる。
【００５５】
走査部材の長手方向両端に、それぞれ一本ずつワイヤを固定し、これらのワイヤの他端部を調整部材に固定することによって、あるいは、走査部材の長手方向両端に、一本のワイヤの両端部をそれぞれ固定し、ワイヤの所定部を調整部材に固定することによって、調整部材の回動あるいはスライドにより走査部材の移動方向及び走査部材の移動方向と垂直方向の読取位置を調整することができる。
【図面の簡単な説明】
【図１】図１は本発明の第１の実施の形態に係る画像読取装置の概略構成斜視図である。
【図２】図２は本発明の第１の実施の形態に係る画像読取装置に具備される調整手段の説明図である。
【図３】図３は本発明の第２の実施の形態に係る画像読取装置に具備される調整手段の説明図である。
【図４】図４は本発明のその他の形態に係る画像読取装置の概略構成斜視図である。
【図５】図５は従来技術に係る画像読取装置の概略構成斜視図である。
【符号の説明】
１  第１ミラー台
２  第２ミラー台
４，５  ワイヤー
６  駆動プーリ
７，８  プーリ
９  バネ
１４  倍率調整ドラム
１５  斜行調整板
３１  斜行調整ドラム
３２  倍率調整板
【図１】
0003563948.tif 000002
【図２】
0003563948.tif 000003
【図３】
0003563948.tif 000004
【図４】
0003563948.tif 000005
【図５】
0003563948.tif 000006